(57)【要約】【課題】小型化の促進とそれに伴うＳ/Ｎ劣化の抑制とを両立することができる指向性マイクロホン装置を提供する。【解決手段】円形ディスク状のケーシング（２）に無指向性マイクロホンユニット（３、４）とマイクロホンユニットの収容部（７、８）を有し、収容部はケーシング内部で分割され、ケーシングの外周部に形成された開口部（１１，１２）を有し、一対のマイクロホンユニットへの音波入射経路の差に基づいて指向性を得ることを可能にする。一方のマイクロホンユニット（４）側から音波が到来するとき、反対側のマイクロホンユニット（３）の開口部（１１）は音波の伝播方向に向いているから、当該反対側のマイクロホンユニットはその開口部に迂回して到来する音波を入力する。迂回する分だけ音波入射経路差は物理的距離に対して見掛け上長くなり、指向性マイクロホン装置の小型化と、小型化に伴うＳ/Ｎ劣化の抑制とを両立させる。【選択図】図１
2007208305.tif 000002
【特許請求の範囲】
【請求項１】
ケーシングに所定の間隔で配置された各々無指向性の第１マイクロホンユニット及び第２マイクロホンユニットを有し、
前記ケーシングは第１マイクロホンユニットを収容する第１収容部と前記第２マイクロホンユニットを収容する第２収容部とを有し、
前記第１収容部及び第２収容部は前記ケーシング内部で相互に音響的に分割され、
前記第１収容部は前記第１マイクロホンユニットと第２マイクロホンユニットとを結ぶ直線の一方に向く音波入射用の第１開口部を有し、前記第２収容部は前記直線の他方に向く音波入射用の第２開口部を有し、
前記第１マイクロホンユニット及び第２マイクロホンユニットの音響中心鉛直軸はほぼ平行にされ、双方のマイクロホンユニットの振動板は共に前記音響中心鉛直軸の同一方向に向き、各々のマイクロホンユニットに対応する開口部の開口縁は、相互に一方のマイクロホンユニットの音響中心から他方のマイクロホンユニットの音響中心までの距離よりも他方のマイクロホンユニットの音響中心からの距離が大きくされ、
前記第１マイクロホンユニットへの音波入射経路と前記第２マイクロホンユニットへの音波入射経路との差に基づいて指向性を得ることを可能にする指向性マイクロホン装置。
【請求項２】
ケーシングに所定の間隔で配置された各々無指向性の第１マイクロホンユニット乃至第４マイクロホンユニットを有し、
前記ケーシングは第１マイクロホンユニットを収容する第１収容部、前記第２マイクロホンユニットを収容する第２収容部、第３マイクロホンユニットを収容する第３収容部、及び前記第４マイクロホンユニットを収容する第４収容部を有し、
前記第１収容部乃至第４収容部は前記ケーシング内部で相互に音響的に分割され、
前記第１収容部は前記第１マイクロホンユニットと第２マイクロホンユニットとを結ぶ一の直線の一方に向く音波入射用の第１開口部を有し、前記第２収容部は前記一の直線の他方に向く音波入射用の第２開口部を有し、前記第３収容部は前記第３マイクロホンユニットと第４マイクロホンユニットとを結ぶ他の直線の一方に向く音波入射用の第３開口部を有し、前記第４収容部は前記他の直線の他方に向く音波入射用の第４開口部を有し、
前記第１乃至第４マイクロホンユニットの各々の音響中心鉛直軸はほぼ平行にされ、夫々のマイクロホンユニットの振動板は共に前記音響中心鉛直軸の同一方向に向き、各々のマイクロホンユニットに対応する開口部の開口縁は、各々のマイクロホンユニットの音響中心を結ぶ閉領域の外に配置され、
前記第１マイクロホンユニットへの音波入射経路と前記第２マイクロホンユニットへの音波入射経路との差に基づいて指向性を得ることを可能とし、前記第３マイクロホンユニットへの音波入射経路と前記第４マイクロホンユニットへの音波入射経路との差に基づいて指向性を得ることを可能とする指向性マイクロホン装置。
【請求項３】
前記第１マイクロホンユニットと第２マイクロホンユニットとを結ぶ前記一の直線と、前記第３マイクロホンユニットと第４マイクロホンユニットとを結ぶ前記他の直線とは大凡直交する配置を有する請求項２記載の指向性マイクロホン装置。
【請求項４】
前記ケーシングは、ディスク状を有し、その軸心に対して大凡９０度間隔で放射状に前記第１乃至第４収容部と前記第１乃至第４開口部が形成され、前記第１乃至第４マイクロホンユニットは対応する前記第１乃至第４収容部の底面側に配置された請求項３記載の指向性マイクロホン装置。
【請求項５】
ケーシングに所定の間隔で配置された無指向性の複数のマイクロホンユニットを有し、
前記ケーシングは各々のマイクロホンユニットを個別に収容する複数の収容部を有し、
前記各々の収容部は、前記ケーシング内部で相互に音響的に隔絶され、且つ、ケーシングの外部に向く開口部を有し、
前記複数の収容部に対応する複数の開口部は相互に隣のもの同士が所定の角度を置いて放射状に配置され、
前記複数のマイクロホンユニットの各々の音響中心鉛直軸はほぼ平行にされ、夫々のマイクロホンユニットの振動板は共に前記音響中心鉛直軸の同一方向に向き、各々のマイクロホンユニットに対応する開口部の開口縁は、各々のマイクロホンユニットの音響中心を結ぶ閉領域の外に配置され、
対応する一対のマイクロホンユニットの内の一のマイクロホンユニットへの音波入射経路と他のマイクロホンユニットへの音波入射経路との差に基づいて指向性を得ることを可能にする指向性マイクロホン装置。
【発明の詳細な説明】
【技術分野】
【０００１】
本発明は、電子機器の音声入力装置としての指向性マイクロホン装置、特に、相互に異なるマイクロホンユニットへの音波入射経路の差に基づいて指向性を得ることを可能にする指向性マイクロホン装置に関し、例えば小型ビデオカメラ等に適用して有効な技術に関するものである。
【背景技術】
【０００２】
対となるマイクロホンユニットを所定の間隔を隔て配置し、それらの音波からの到達経路差を用いて指向特性を得ることを可能にする指向性マイクロホン装置について特許文献１，２に記載がある。
【０００３】
ここで、到達経路差を用いて単一指向特性を得る指向性マイクロホン装置による動作原理を説明する。図１２に示されるように、無指向性マイクロホン装置Ｍ１，Ｍ２を水平軸上ｄoの間隔を隔て配置したとき、図の左方向(水平方向)からのθの角度で入射する音波に対し両マイクロホンユニットＭ２，Ｍ２の間隔ｄoに対し、両マイクロホンユニットＭ１，Ｍ２への音波の入射経路の差は、音波の入射角θにより、do・cosθと表される。
【０００４】
マイクロホンユニットＭ１，Ｍ２の出力を電気的処理によって単一指向特性を得ようとする場合、マイクロホンユニットＭ２の出力に対してｄoの距離に相当する遅延回路ＤＥＬを設け、マイクロホンユニットＭ１の出力との差をアンプＡＭＰから出力するよう構成する。このとき、音波が両マイクロホンユニットＭ１，Ｍ２に対しθの角度で入射する場合、２つのマイクロホンユニットＭ１，Ｍ２に到達する音波の経路差は相対的にＬ＝do・cosθと表される。また、マイクロホンユニットＭ２の出力には遅延回路ＤＥＬにより電気的な遅延が付加されているため、その遅延をτ、音速をｃとすると、ｃτ=ｄoとなり、マイクロホンユニットＭ２の遅延出力を得るまでの経路差Laは、La=Ｌ+ｃτ=Ｌ+ｄo ＝do・cosθ+do=do(1+cosθ)となる。
【０００５】
マイクロホンユニットＭ１の出力をe1、マイクロホンユニットＭ２の遅延出力をed2とすると両マイクロホンユニットＭ１，Ｍ２の差の出力Eは、E=e1−ed2=2・e1・sin（k do(1+cosθ)/2）となる。但しマイクロホンユニットＭ１，Ｍ２に到来する音波は正弦音波（正弦波形の音波）とし、k=2π/λ,λは音波の波長である。両マイクロホンユニットＭ１，Ｍ２の感度が等しくdoを音の波長に比べて十分小さくすると、E＝e1・k・do(1+cosθ)とすることができる。これはθに関して(1+cosθ)の変化を示す単一指向特性(カージオイド型)となる。
【０００６】
この出力Eは、図１３に例示されるように、音の波長によって変化される。即ちマイクロホンユニットＭ１，Ｍ２の間隔doがλ/2となる周波数で出力が極大となり、それより小さい周波数範囲で6dB/octの傾きを持つ減衰特性を示す。
【０００７】
よってそのアンプＡＭＰの出力は、マイクロホンユニットＭ１，Ｍ２の感度が変わらないものとすると、1kHzの正面感度(θ＝０)はd/λで決定される。要するに、正面感度はマイクロホンユニットＭ１とＭ２の間の距離doによって決定される。同様に、一対のマイクロホンユニットをdoの間隔を隔て配置し、一方を他方へ反転し差の出力を得るように構成した双指向特性においても、1kHzの正面感度はマイクロホンユニット間距離doによって決まる。間隔doがλ/2となる周波数で出力が極大となり、それより小さい周波数範囲で6dB/octの傾きを持つ減衰特性を示すことになる。また、上記単一指向特性、双指向特性における正面感度(θ＝０)は、前者では経路差2doであるのに対し後者ではdoであるため、後者では正面感度は相対的に6dB低く出力されることになる。
【０００８】
【特許文献１】実開昭６４−５２３９２号公報
【特許文献２】特開平１１−１８１８６号公報
【発明の開示】
【発明が解決しようとする課題】
【０００９】
上記のように、対となるマイクロホンユニットを所定の間隔を隔て配置し、それらの音波からの到達経路差を用いて指向特性を得るための電気的な演算処理を行なう場合、演算処理後のマイクロホンユニットの正面感度特性は、マイクロホンユニット間の距離doと遅延回路の遅れτによるマイク間経路差Lａより決まる。従って、正面感度レベルとマイク固有のノイズレベルとの比であるＳ／Ｎは、相対的にマイク間距離によって決まることが明らかにされた。これを考慮したとき、ビデオカメラ内蔵マイク等の小型化に伴い、一対のマイクロホンユニットの間隔が十分広く取れないような場合に、対となるマイクロホンユニットを所定の間隔を隔て配置し、それらへの音波の到達経路差を用いて指向特性を得ようとする指向性マイクロホン装置においては、マイクの配置間隔が狭くなることで感度低下によるＳ／Ｎの劣化と、良好な指向性が得られないという問題のあることが本発明者によって見出された。マイクロホンユニットの配置間隔はＳ／Ｎの決定に寄与する最も重要な因子である。
【００１０】
本発明の目的は、小型化の促進とそれに伴うＳ/Ｎ劣化の抑制とを両立することができる指向性マイクロホン装置を提供することにある。
【００１１】
本発明の前記並びにその他の目的と新規な特徴は本明細書の記述及び添付図面から明らかになるであろう。
【課題を解決するための手段】
【００１２】
本願において開示される発明のうち代表的なものの概要を簡単に説明すれば下記の通りである。
【００１３】
本発明に係る指向性マイクロホン装置（１）は、ケーシング（２）に所定の間隔で配置された各々無指向性の第１マイクロホンユニット（３）及び第２マイクロホンユニット（４）を有する。前記ケーシングは第１マイクロホンユニットを収容する第１収容部（７）と前記第２マイクロホンユニットを収容する第２収容部（８）とを備える。前記第１収容部及び第２収容部は前記ケーシング内部で相互に音響的に分割される。前記第１収容部は前記第１マイクロホンユニットと第２マイクロホンユニットとを結ぶ直線の一方に向く音波入射用の第１開口部（１１）を有し、前記第２収容部は前記直線の他方に向く音波入射用の第２開口部（１２）を有する。前記第１マイクロホンユニット及び第２マイクロホンユニットの音響中心鉛直軸はほぼ平行にされ、双方のマイクロホンユニットの振動板は共に前記音響中心鉛直軸の同一方向に向き、各々のマイクロホンユニットに対応する開口部の開口縁は、相互に一方のマイクロホンユニットの音響中心から他方のマイクロホンユニットの音響中心までの距離よりも他方のマイクロホンユニットの音響中心からの距離が大きくされる。この指向性マイクロホンは前記第１マイクロホンユニットへの音波入射経路と前記第２マイクロホンユニットへの音波入射経路との差に基づいて指向性を得ることを可能にするものである。
【００１４】
上記した手段によれば、一方のマイクロホンユニット側から音波が到来するとき、当該一方のマイクロホンユニットはその収容部の開口部に正面側から到来する音波を入力する。反対側のマイクロホンユニットに対応する収容部の開口部は上記音波の伝播方向に向いているから、当該反対側のマイクロホンユニットはその収容部の開口部に迂回して到来する音波を入力する。迂回して到来する分だけマイクロホンユニット間の音波入射経路差は物理的距離に対して見掛け上長くなる。このことが、指向性マイクロホン装置の小型化と、小型化に伴うＳ/Ｎ劣化の抑制とを両立させる。
【００１５】
４個の無指向性のマイクロホンユニットは備える場合も同様に構成することができる。この場合には、無指向性の第１マイクロホンユニット乃至第４マイクロホンユニット（３〜６）に対応して第１収容部乃至第４収容部（７〜１０）を有し、前記第１収容部乃至第４収容部は前記ケーシング内部で相互に音響的に分割され、前記第１収容部は前記第１マイクロホンユニットと第２マイクロホンユニットとを結ぶ一の直線の一方に向く音波入射用の第１開口部（１１）を有し、前記第２収容部は前記一の直線の他方に向く音波入射用の第２開口部（１２）を有し、前記第３収容部は前記第３マイクロホンユニットと第４マイクロホンユニットとを結ぶ他の直線の一方に向く音波入射用の第３開口部（１３）を有し、前記第４収容部は前記他の直線の他方に向く音波入射用の第４開口部（１４）を有する。前記第１乃至第４マイクロホンユニットの各々の音響中心鉛直軸はほぼ平行にされ、夫々のマイクロホンユニットの振動板は共に前記音響中心鉛直軸の同一方向に向き、各々のマイクロホンユニットに対応する開口部の開口縁は、各々のマイクロホンユニットの音響中心を結ぶ閉領域の外に配置される。この指向性マイクロホン装置は前記第１マイクロホンユニットへの音波入射経路と前記第２マイクロホンユニットへの音波入射経路との差に基づいて指向性を得ることを可能とし、前記第３マイクロホンユニットへの音波入射経路と前記第４マイクロホンユニットへの音波入射経路との差に基づいて指向性を得ることを可能とする。この場合も上記同様に、１マイクロホンユニットと前記第２マイクロホンユニットとの間の音波入射経路差は物理的距離よりも見掛け上長くなり、第３マイクロホンユニットと前記第４マイクロホンユニットとの間の音波入射経路差は物理的距離よりも見掛け上長くなる。
【００１６】
本発明の一つの具体的な形態として、前記第１マイクロホンユニットと第２マイクロホンユニットとを結ぶ直線と、前記第３マイクロホンユニットと第４マイクロホンユニットとを結ぶ直線とは大凡直交する配置を有する。これにより、前記各直線に沿った２方向づつ併せて４方向のステレオマイクロホン装置を容易に実現することができる。このためのケーシングの一つの最良な形態として、前記ケーシングは、ディスク状を有し、その軸心に対して大凡９０度間隔で放射状に前記第１乃至第４収容部と前記第１乃至第４開口部が形成され、前記第１乃至第４マイクロホンユニットは対応する前記第１乃至第４収容部の底面側に配置される。
【００１７】
本発明の別の観点による指向性マイクロホン装置は、ケーシングに所定の間隔で配置された無指向性の複数のマイクロホンユニットを有し、前記ケーシングは各々のマイクロホンユニットを個別に収容する複数の収容部を有する。前記各々の収容部は、前記ケーシング内部で相互に音響的に分割され、且つ、ケーシングの外部に向く開口部を有する。前記複数の収容部に対応する複数の開口部は相互に隣のもの同士が所定の角度を置いて放射状に配置される。前記複数のマイクロホンユニットの各々の音響中心鉛直軸はほぼ平行にされ、夫々のマイクロホンユニットの振動板は共に前記音響中心鉛直軸の同一方向に向き、各々のマイクロホンユニットに対応する開口部の開口縁は、各々のマイクロホンユニットの音響中心を結ぶ閉領域の外に配置される。この指向性マイクロホン装置は、対応する一対のマイクロホンユニットの内の一のマイクロホンユニットへの音波入射経路と他のマイクロホンユニットへの音波入射経路との差に基づいて指向性を得ることを可能にする。この構成においても、上記同様に、一つのマイクロホンユニットと別のマイクロホンユニットとの間の音波入射経路差はその物理的距離よりも見掛け上長くなる。マイクロホンユニット、収容部及び開口部を各々３個有するとき、例えば１２０度間隔で配置された一対のマイクロホンユニットを用いて指向性を持つステレオマイクロホン装置を実現することも可能である。
【発明の効果】
【００１８】
本願において開示される発明のうち代表的なものによって得られる効果を簡単に説明すれば下記の通りである。
【００１９】
すなわち、小型化の促進とそれに伴うＳ/Ｎ劣化の抑制とを両立することができる指向性マイクロホン装置を実現することができる。
【発明を実施するための最良の形態】
【００２０】
図１には本発明に係る指向性マイクロホン装置の軸断面が例示される。図２には指向性マイクロホン装置の平面図が示される。同図に示される指向性マイクロホン装置１は、ケーシング２に無指向性のマイクロホンユニット３，４と５，６の二組を直交に配置して、４方向ステレオマイクロホン装置を実現可能にするものである。図２において上側がマイクロホン装置の前部（マイク正面）、下側が後部となる。
【００２１】
前記ケーシング２は、ディスク状を有し、その軸心に対して大凡９０度間隔で放射状に４個の収容部７〜１０と各々に対応する開口部１１〜１４が形成される。前記マイクロホンユニット３〜６は対応する収容部７〜１０の底面側に振動板を上に向けて配置される。１７はマイクロホンユニット８、７の音響中心鉛直軸を示す。マイクロホンユニット３〜６の４本の音響中心鉛直軸はほぼ平行とされる。マイクロホンユニット３〜６の４個の音響中心はケーシング２の中心に対して直径ｄ０の円の上に配置される。図２においてケーシング２の下側が機器への取り付け面となる。各々の収容部７〜１０は中央部内壁１５にて互いに仕切られ、上部には円形のプレート部１６が形成され、下部にはマイクロホンユニット３〜６が埋め込まれている。ケーシング上部のプレート部１６の直径は、ｄ０よりも大きくされる。要するに、各々のマイクロホンユニット３〜６に対応する開口部１１〜１４の開口縁は、各々のマイクロホンユニット３〜６の音響中心を結ぶ閉領域の外に配置される。このケーシング２は４方向ステレオマイクを構成するのに最適化され、前後と左右で夫々対称の構造を有している。
【００２２】
図３には図１の指向性マイクロホン装置１において左方向(水平方向)からのθの角度で入射する音波に対し両マイクロホンユニット３，４への音波の入射経路が例示される。
【００２３】
図３において、マイクロホンユニット４が配置されている側から音波が到来するとき、当該マイクロホンユニット４はその収容部８の開口部１２に正面側から到来する音波を入力する。一方、反対側のマイクロホンユニット３に対応する収容部７の開口部１１は上記音波の伝播方向に向いているから、マイクロホンユニット４側から反対側のマイクロホンユニット３に向かう音波に対して、マイクロホンユニット３はその中心鉛直軸より外側に位置するプレート部１６の鍔状の縁を折り返すようにその収容部の開口部に迂回して来る音波を入力する。このときのマイクロホンユニット３と４の間の音波入射経路差はL1+L2+L3となり、マイクロホンユニット３と４の間の物理的距離doに応ずる音波入射経路差であるL＝do・cosθよりも見掛け上長くなっている。従って、マイクロホンユニット３と４の間の物理的距離がL1+L2+L3とされる構造と同じS/N特性を備えることができる。要するに、指向性マイクロホン装置の小型化と、小型化に伴うＳ/Ｎ劣化の抑制とを両立させることができる。
【００２４】
ちなみに、指向性マイクロホン装置に用いる図１２に示されるような遅延回路ＤＥＬやアンプＡＭＰは、例えば図８に示されるように、指向性マイクロホン装置を音声入力装置として利用するビデオカメラの回路１８に組み込まれる。このとき、マイクロホンユニット３側の遅延回路の遅延出力を得るまでの経路差Laはcτ'＋L'となり、L'＝ L1+L2+L3、τ'はθ＝0におけるL'の遅れ時間に相当する。即ち、出力レベルが最大となるθ＝0のとき、図９に例示されるように、L＝doのとき、左右のマイクロホンユニット３，４における音波入射経路差L'＝ L1+L2+L3を考える。見掛け上のマイクロホンユニット３，４の間の距離は図１０のようにL'＝ L1+L2+L3となる。このとき、図１１のように電気的遅延τ'により単一指向性を得る場合、τ'はθ＝0におけるL'＝ L1+L2+L3に相当する遅延時間となる。結局、遅延出力を得るまでの経路差Laは、La＝cτ'＋L'となる。
【００２５】
ここで実験を説明する。θ＝0の角度に対して、do＝10mm、L' =10.7mmとし、単純に無指向性マイクロホンユニットをdoで配置した場合と比較すると、見掛け上の経路差Laが2.07倍になる。θ＝0を指向主軸正面とし指向性を電気的演算処理にて得た場合の、相対的な出力感度レベルは、前記における計算値において＋6.3dB、実測値において＋7.0dBの感度上昇となり、また低域指向性の改善も確認できる。
【００２６】
特に図示はしないが、指向性マイクロホン装置と遅延回路ＤＥＬ及びアンプＡＭＰとの接続については、必要な指向特性を得ることができるように接続形態を必要数だけ形成すればよい。
【００２７】
上記指向性マイクロホン装置によれば、Ｓ/Ｎの改善と低域指向性の改善が可能となり、同性能を得るのにマイクロホンをより小型化して構成することが可能になる。マイクロホンユニットに物理的間隔が1５mmを切るような小型タイプのマイクロホン装置に適用して特に顕著な効果を認識することができる。また、マイクロホンユニットを配する空間とプレート部等により収容部を形成するから、マイクロホンユニットは鉛直軸方向から受ける風雑音を低減することも可能になる。
【００２８】
以上本発明者によってなされた発明を実施形態に基づいて具体的に説明したが、本発明はそれに限定されるものではなく、その要旨を逸脱しない範囲において種々変更可能であることは言うまでもない。
【００２９】
例えば、図４及び図５に例示されるように、プレート部１６の直径を小さくしてもよい。但し、ｄ０よりも大きいことが条件である。また、図６及び図７に例示されるように、マイクロホンユニットは直線上に配置される２個であってもよい。また、特に図示はしないが、１２０度間隔で放射状に３個配置しても良い。マイクロホンユニット、収容部及び開口部を各々３個有するとき、例えば１２０度間隔で配置された一対のマイクロホンユニットを用いて指向性を持つステレオマイクロホン装置を実現することも可能である。また、ケーシング２に直線状に配置される一対の無指向性マイクロホンユニットのペアを３組、１２０度間隔で交差配置して、ステレオマイクロホン装置を実現することも可能である。ケーシングは円形ディスク状に限定されず、三角形、四角形、六角形等の多角形ディスク状等であってもよい。
【図面の簡単な説明】
【００３０】
【図１】本発明に係る指向性マイクロホン装置の軸断面図である。
【図２】指向性マイクロホン装置の平面図である。
【図３】図１の指向性マイクロホン装置において左方向(水平方向)からのθの角度で入射する音波に対し左右のマイクロホンユニットへの音波の入射経路を例示する説明図である。
【図４】本発明に係る指向性マイクロホン装置の別の例を示す軸断面図である。
【図５】図４の指向性マイクロホン装置の平面図である。
【図６】本発明に係る指向性マイクロホン装置の更に別の例を示す軸断面図である。
【図７】図６の指向性マイクロホン装置の平面図である。
【図８】指向性マイクロホン装置を音声入力装置として利用するビデオカメラに組み込んだ様子を示す概略断面図である。
【図９】図１のマイクロホン装置においてθ＝0、L＝doのとき、左右のマイクロホンユニットにおける音波入射経路差L'＝ L1+L2+L3を例示する説明図である。
【図１０】図９において左右のマイクロホンユニットの間の見掛け上の距離L'＝ L1+L2+L3を例示する説明図である。
【図１１】図９において電気的遅延τ'により単一指向性を得る場合にτ'はθ＝0におけるL'＝ L1+L2+L3に相当する遅延時間となることを示す説明図である。
【図１２】到達経路差を用いて単一指向特性を得る指向性マイクロホン装置による動作原理の説明図である。
【図１３】マイクロホンユニットの間隔doがλ/2となる周波数で一対のマイクロホンユニットからの出力差の特性が極大になることを示す特性図である。
【符号の説明】
【００３１】
Ｍ１，Ｍ２  マイクロホンユニット
ＤＥＬ  遅延回路
ＡＭＰ  アンプ
１  指向性マイクロホン装置
２  ケーシング
３〜６  無指向性マイクロホン
７〜１０  収容部
１１〜１４  開口部
１５  中央部内壁
１６  円形プレート部
１７  音響中心鉛直軸
【図１】
2007208305.tif 000003
【図２】
2007208305.tif 000004
【図３】
2007208305.tif 000005
【図４】
2007208305.tif 000006
【図５】
2007208305.tif 000007
【図６】
2007208305.tif 000008
【図７】
2007208305.tif 000009
【図８】
2007208305.tif 000010
【図９】
2007208305.tif 000011
【図１０】
2007208305.tif 000012
【図１１】
2007208305.tif 000013
【図１２】
2007208305.tif 000014
【図１３】
2007208305.tif 000015